(57)【要約】【課題】クローゼットなどの桿に衣類掛けハンガーによりぎっしりと詰めて掛けられた衣類を取り外したり、再び元の位置に戻したりする際にそれがスムーズに行なえる様にすることであり、衣類に折り目や皺が寄らない如く行なえる様にすること。かつ、これらに適した固定クリップを提供すること。【解決手段】  衣類を掛けた衣類掛けハンガーを多数掛けた桿に挟んで固定する固定クリップであり、前記クリップは挟み部２，２’を有する一対のアーム１，１’と、支点４と、各々の挟み部２，２’を互いに接近させる如く働らくバネ５とから成り、かつ前記固定クリップを桿の長さ方向に押す時に指を当てる指当て部６，６’を前記アーム１，１’に備える様に構成した。【選択図】図１
2012000435.tif 000002
【特許請求の範囲】
【請求項１】
衣類を掛けた衣類掛けハンガーを多数掛けた桿に挟んで固定する固定クリップであり、前記固定クリップは挟み部を有する一対のアームと、支点と、各々の挟み部を互いに接近させる如く働らくバネとから成り、かつ前記固定クリップを桿の長さ方向に押す時に指を当てる指当て部を前記アームに備えた事を特徴とする衣類掛けハンガー用固定クリップ
【請求項２】
指当て部をアームの幅のほぼ中央部に備えた請求項１記載の衣類掛けハンガー用固定クリップ
【請求項３】
指当て部をアームの挟み部の所定位置に備えた請求項１又は２記載の衣類掛けハンガー用固定クリップ
【発明の詳細な説明】
【技術分野】
【０００１】  本発明は衣類を多数収納するクローゼット等の桿に挟んで衣類掛けハンガーの位置を固定する衣類掛けハンガー用固定クリップに関するものである。
【背景技術】
【０００２】  一般にクローゼットには図２（イ）に示す様に衣類を掛けた衣類掛けハンガー１０が多数、桿９に掛けられており、殆ど透き間がない位に掛けられている事が多い。この様な場合、お目当ての衣類を衣類掛けハンガーから取り外す為には、その隣の衣類掛けハンガーを押し寄せて適当な透き間を作らなければならず、衣類が沢山掛かっている場合はかなりの力で押し寄せる必要がある。又、外出から帰って来て衣類を元の位置に戻す場合は押し寄せておいた透き間が挟い為（弾力でかなり狭くなっている場合がある）、衣類掛けハンガーに掛けた衣類を挿入し難くく、袖などに折り目や皺が寄る事がある。これらの対策としては、透き間を作る為に押し寄せた衣類掛けハンガーをクリップの様なもので固定する事が考えられるが、これに適したクリップはない。
【発明の開示】
【発明が解決しようとする課題】
【０００３】  本発明の目的は、クローゼットなどの桿に衣類掛けハンガーによりぎっしりと詰めて掛けられた衣類を取り外したり、再び元に戻したりする際にそれがスムーズに行なえる様にする事であり、衣類に折り目や皺が寄らない如く行なえる様にする事であって、これらに適した固定クリップを提供する事にある。
【課題を解決する為の手段】
【０００４】  本発明は上記目的を達成する為、衣類を掛けた衣類掛けハンガーを多数掛けた桿に挟んで固定する衣類掛けハンガー用固定クリップを使用する様にしたのであり、この固定クリップは挟み部を有する一対のアームと、支点と、各々の挟み部を互いに押圧する如く働らくバネとから成り、かつ前記固定クリップを桿の長さ方向に押す時に指を当てる指当て部を前記アームに備える様にした。
【発明の効果】
【０００５】  本発明によればクローゼットなどの桿にぎっしりと詰めて掛けられた衣類掛けハンガーを所定の位置から一方の側に押し寄せて固定クリップにより固定する様にしたので、固定クリップを境として他方の側にある衣類掛けハンガー間には透き間ができる為、お目当ての衣類の取り外しやそれを再び元に戻す際にはスムーズに行なえる効果がある。例えば外出する時はお目当ての衣類がサーっと取り外せるし、外出から帰って来た時は元の位置にサーっと戻す事ができる。そして従来ではぎっしりと詰った衣類間に無理に戻そうとするので、衣類に折り目や皺が寄ったりするが、本発明ではその様な欠点は解消され、型くずれもしない。又、上記衣類掛けハンガー用固定クリップはこれを桿の長さ方向に押す時に指を当てる指当て部を備えている為、押し易く、指が痛くなる様な事もなく、かつフック１１（図２（ロ）参照）を噛み込むなどの不具合も起らない。本発明による固定クリップは基本的には通常のクリップと構造的には同一であるが、市販のクリップ（例えば洗濯干し桿に挟む桿ピンチ）ではクローゼットの桿の太さに適合しないし、固定する力も弱く、押し戻されてしまい、使用に耐えない。即ち、本発明による固定クリップではその目的の為に作られる専用のものなので、クローゼットなどの桿の太さに適合しており、バネ５の強さにより（図１参照）固定力も十分な強さを発揮するものであり、色、形などもファッショナブルな感性を備えている。
【発明を実施する為の最良の形態】
【０００６】  図１（イ）は本発明による衣類掛けハンガー用固定クリップを示し、挟み部２，２’を有する一対のアーム１，１’と、支点４と、各々の挟み部が互いに接近する如く働らくバネ５とから成っている。この構造は通常のクリップと基本的には同一であり、挟み部２，２’は桿を挟む部分であり、バネ５は例えばＵ字形の板バネを使っている（支点４は実際は点ではなく、軸状になっている）。３，３’は摩擦材で、固定力を増強する為にＥＶＡ樹脂などの高摩擦材料を使っている（これは必要不可欠なものではない）。本固定クリップの特徴は、これを桿の長さ方向に押す時に指を当てる指当て部６，６’をアーム１，１’に（図では挟み部２，２’の所定位置に）備えたところにある。図２（イ）においてクローゼットなどの桿９に沢山の衣類がぎっしりと掛かっている場合、お目当ての衣類の隣りに手で少し透き間を作り、ここに図１（イ）の衣類掛けハンガー用固定クリップを挿入して桿９に固定するのであるが、更に大きな透き間を作る為に図２（ロ）の如くこの固定クリップを少し開いて桿９の長さ方向に（例えば右方向に）指当て部６に指を当てて押しながら（図２（ハ）参照）固定クリップにより衣類掛けハンガー１０のフック１１を移動させ、固定クリップの右側にある衣類を全て右方向側に押し寄せ、固定クリップを閉じて固定する。こうすると固定クリップの左側には大きな透き間ができる為、お目当ての衣類をスムーズに取り外せるし、外出から帰って来た時も衣類を元の位置に戻す事もスムーズに行なえ、従来の様に狭い透き間に無理に衣類を入れ込む必要がないから、衣類に折り目や皺が寄らない。この他、本発明では固定クリップより左側を現在の季節に着用する衣類、右側をそうでない衣類として分別しておけば、現在の季節に着用する衣類はどれでもスムーズに取り外したり、元に戻したりする事ができる効用もある。次に指当て部６，６’の位置についてであるが、固定クリップを桿９の長さ方向に押す時に力を入れ易い様に挟み部２，２’の所定位置に備えるのが良い（桿９に近い部分に備えた方が力を入れ易い為である）。更に図１（イ）の如くこの指当て部６，６’は挟み部２，２’の幅のほぼ中央部に備える事が望ましい。この理由は固定クリップを開いて桿９の長さ方向に移動しょうとすると図２（ニ）の如く挟み部２，２’と桿９との間には一定の透き間ができ、この透き間により挟み部２にフック１１が噛み込む不具合が出て来るからであり、これを避けるには挟み部２を上から桿９に押し付ける様にしながら指当て部６を桿９の長さ方向に押せば良いが、これを意識して行なわなければならず面倒である。しかしながら指当て部６（６’）を挟み部２（２’）の幅のほぼ中央部に備えると、指当て部６に指を当てて押す時は必ずこの指は挟み部２を下方へ桿９に押し付ける様にも自然に力を入れるので（指は指当て部６の他に部位２”にも当てるので）、確実に固定クリップによりフック１１を押す事ができる。尚、図１（イ）においては部位２”を斜面としても良い（図１（ニ）参照）。指当て部を支点４の近傍に備えた実施例を図１（ロ）に示すが、７はその指当て部である（但し、指当て部は図１（イ）の如く挟み部２，２’に備える事が最も望ましい実施���ではある）。図１（イ）においてバネ５はＵ字形の板バネであったが、図１（ハ）の様にねじりコイルバネ（図示なし）を採用しても良い（このねじりコイルバネは支点４’―軸になっている―に備えられている）。図１（ハ）において支点４’の近傍に指当て部８，８’を備える場合は、図示の如くアーム１，１’の幅のほぼ中央部に備える事ができる
【０００７】  一般にクリップ、例えば洗濯バサミは物（洗濯物）を挟んで吊り下げる為に使われるが、機能一点張りで美的感性、ファッション性は備えていない。洗濯バサミを沢山備えた角ハンガーで洗濯物を室内干しする場合（下着類は室内干ししたいところである）、機能一点張りの洗濯バサミでは楽しさがない。もし美的感性、ファッション性を備えたものがあれば室内も明るくなるし、楽しくなる、この課題を解決するには美的感性、ファッション性に富んだ装飾部を有するクリップカバーを用いることである。
図３（イ）はこれを示し（断面を示す図である）、１２はクリップカバーであり、クリップカバー１２はクリップ（ここでは洗濯バサミとする）により保持される保持部１３とクリップに美的感性を与える装飾部１４とから成り、装飾部１４はクリップの一対のアーム１５（図３（ロ）参照）の囲りを覆う様に構成されている（ピンク色、黄色などに着色すると良い）。保持部１３と装飾部１４とは一体であり、図３（ロ）の如く一対のアーム１５の上端部から各々の保持部１３を挿入して、クリップカバー１２を取り付ける。クリップカバー１２をクリップに取り付けた状態を図３（ロ）に示す（１６は吊り下げ用の紐である）。尚、クリップカバー１２は図３（イ）の如く上から見ると各々の保持部１３の間は波状に延びていて、伸縮可能となっており、これによりクリップカバー１２は各種のクリップのサイズに対応して取り付ける事ができる。保持部１３と装飾部１４とを別体とした実施例を図３（ハ）に示す。即ち図３（ハ）において、１３’はクリップのアーム１５に挿入する保持部で、挟み片１７を有し、別体として作られた装飾部１４’を挟み片１７により挟んで一体とするのである（図３（ニ）参照）。この場合、保持部１３’をクリップのアーム１５に挿入しておいてから、装飾部１４’を挟み片１７により挟む様にして保持する。図３（ホ）は全体が化学繊維で作られたカーテンの様なクリップカバーを示すもので、ゴムが内蔵されていて伸縮性がある。装飾部１４”は上から見ると最初は長円形に作られ、次に縫い合わせ部１８を糸で縫って保持部１３”を作り、クリップのアーム１５にこの保持部１３”を挿入して取り付ける。
【０００８】  洗濯機で洗濯物を洗う場合、長い部分が互いに絡み合って捩れ（例えば袖と袖、袖とズボン、タオルなどが互いに絡み合って捩れる）、布地を傷める場合が多くある。この対策として洗濯物を洗濯ネット（袋状のネット）の中に入れて洗濯する事が行なわれているが、いちいち洗濯ネットの中に入れなければならず、その際、折り畳む必要があり、面倒である。又、使わない時に洗濯ネットをどこに収納しておくかなども問題となり、煩らわしい。
その上、洗濯ネットは高価である。以上の問題点を解決する為には、図４（イ）に示す絡まり防止クリップを使う事が考えられる。即ち、図４（イ）は衣類の長い部分を留めて絡まない様にする為の絡まり防止クリップであり、通常のクリップ、例えば洗濯バサミと同様に一対のアーム１９とバネ２２とから成り、各々のアーム１９の外側表面を覆う柔らかく柔軟な材料（例えばポリ塩化ビニール樹脂、天然ゴム、エラストマーゲルなど）で作られたカバー２３を備えている。各々のアーム１９は物を挟む挟み部２０及びクリップを開く時に指で押す指押し部２１から成り、カバー２３はそれ自身に備えられた固定突起２４がアーム１９に形成された穴に嵌り込んでアーム１９に固定されている。カバー２３の斜視図を図４（ロ）に示すが、カバー２３は柔らかい柔軟な材料で作られているので、洗濯物や洗濯槽を傷つける事はない。次に使い方を説明すると図４（ト）の様に衣類の長い部分、図では袖であるが、袖の先端ａ、ｂを衣類本体の適当な部分、例えば腹部に当る部分ｃに図４（チ）の如く絡まり防止クリップで挟んで固定し、これを洗濯槽の中に入れて洗濯するのである（袖の先端ａ、ｂだけを互いに固定しても良い）。他にも絡んで布地が傷む恐れのある衣類があれば、同様に絡まり防止クリップを使用する。以上により洗濯機で洗濯しても衣類などの長い部分が互いに絡み合う事がないので、布地を傷める事はない。
又、本絡まり防止クリップは柔らかいカバー２３で覆われている為、布地や洗濯槽を傷つける事はない。更に洗濯ネットを使う必要がないので、衣類をいちいち折り畳んで洗濯ネットの中に入れる手間が省け、便利である上、使わない時の洗濯ネットの収納場所にも困らない。本絡まり防止クリップは洗濯物のすすぎの段階できれいに水で洗われる為、常に清潔である。尚、デリケートな女性のストッキングなどはこれを適当に折り畳んで図４（リ）の様に衣類の中に入れ（又は、２枚の衣類間に挟み込む）。外へ出て来ない様に入口の部分を絡まり防止クリップで留めておく様にして、洗濯すると良い。もちろん、この衣類の袖も絡まり防止クリップで留めておく様にする。この方法においてはストッキングを直接絡まり防止クリップで留めていない。図４（イ）のカバー２３は、一対のアーム１９の各々の挟み部２０を各々すっぽりと覆い、かつ一対のアーム１９の指押し部２１を覆う全体が袋状のものであったが、図４（ハ）のカバー２５は帯状のものを示すものである。即ち図４（ハ）において、カバー２５は一対のアームの挟み部２０から指押し部２１までを各々帯状に覆うものであり、カバー２５の斜視図を図４（ニ）に示す。この場合、カバー２５の幅はアーム１９の幅よりも５〜１０ｍｍ位広いので、図４（イ）の絡まり防止クリップと同様に洗濯物や洗濯槽を傷つける事はない。２６は固定突起である。又、カバー２５は挟み部２０までも覆っているので、衣類を挟み部２０により挟んでも布地を傷める恐れは全くない（図４（イ）も同様である）。図４（ホ）に示す絡まり防止クリップのカバーは一対のアームの挟み部２０を覆うカバー２８（図４（ヘ）参照）と一対のアームの指押し部２１を覆うカバー２７とに分離したものを示している。尚、カバー２３の材料は化学繊維を使った布地の様なものも考えられる。図４（ホ）のカバー２７において指押し部２１を覆う部分を筒状としたものに相当するカバー２７’を図４（ヌ）に示す。尚、図４（イ）、（ハ）、（ホ）は絡まり防止クリップを少し開いた図を示すものである。
【図面の簡単な説明】
【図１】  本発明による衣類掛けハンガー用固定クリップの図。
【図２】  本発明による衣類掛けハンガー用固定クリップの使用状態を示した図。
【図３】  装飾部を有するクリップカバーの図。
【図４】  絡まり防止クリップ及びその使用状態を示す図。
【符号の説明】  １・１’はアーム、２・２’は挟み部、３・３’は摩擦材、４・４’は支点、５はバネ、６・６’は指当て部、２”は部位、７は指当て部、８・８’は指当て部、９は桿、１０は衣類掛けハンガー、１１はフック、１２はクリップカバー、１３・１３’・１３”は保持部、１４・１４’・１４”は装飾部、１５はアーム、１６は紐、１７は挟み片、１８は縫い付け部、１９はアーム、２０は挟み部、２１は指押し部、２２はバネ、２３はカバー、２４は固定突起、２５はカバー、２６は固定突起、２７はカバー、２８はカバー、２７’はカバーである。
【図１】
2012000435.tif 000003
【図２】
2012000435.tif 000004
【図３】
2012000435.tif 000005
【図４】
2012000435.tif 000006